【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
カートリッジが出し入れされる開口部を有する画像形成装置本体と、
前記開口部を閉じる閉鎖位置と開放する開放位置との間を移動可能な開閉部材と、
被押圧部を有し、前記画像形成装置本体の装着完了位置に取り外し可能に装着されるカートリッジと、
を備えた記録媒体に画像形成する画像形成装置であって、
前記開閉部材は、支持面と、前記支持面の途中に設けられた凹部と、前記支持面の一部である押圧部と、を有するガイド部を備え、
前記開閉部材が前記開放位置に位置する際に、前記支持面は前記カートリッジを前記開口部へガイド可能であって、 
前記開閉部材の閉動作時に、前記押圧部と前記被押圧部とが当接し、前記装着完了位置の方向へ前記カートリッジを押し、
前記開閉部材が前記閉鎖位置に位置する時には、前記凹部と前記被押圧部は隙間を持った状態とする
ことを特徴とする画像形成装置。
【請求項２】
前記画像形成装置本体には、前記カートリッジに設けられた被位置決め部と係合し、位置決めを行う位置決め部が設けられ、
前記凹部は、前記被押圧部と係合することにより回転規制を行うことを可能とした
ことを特徴とする請求項１記載の画像形成装置。
【請求項３】
前記ガイド部は複数設けられ、前記カートリッジの長手方向の両端部に当接するように配置される
ことを特徴とする請求項１または２記載の画像形成装置。
【請求項４】
前記開閉部材が前記閉鎖位置に位置する時には、前記ガイド部の間に前記カートリッジの有する現像容器が配置される
ことを特徴とする請求項３記載の画像形成装置。
【請求項５】
前記カートリッジが有する前記被押圧部は凸形状であることを特徴とする請求項１ないし４のいずれか１項に記載の画像形成装置。
【請求項６】
前記カートリッジは、
感光体ドラムを有する感光体ユニットと、
前記感光体ドラムに形成された静電潜像を現像する現像ローラを有し前記感光体ユニットに対して回動する現像装置ユニットと、
前記現像ローラを前記感光体ドラムに付勢する付勢部材と、
を有し、前記被押圧部を前記現像装置ユニットに具備するプロセスカートリッジであることを特徴とする請求項１ないし５のいずれか１項に記載の画像形成装置。
【請求項７】
前記現像装置ユニットは、前記現像ローラの軸線方向における前記現像装置ユニットの一端において前記感光体ユニットに対して回動可能に結合するサイド部材を有し、前記被押圧部を前記サイド部材に具備することを特徴とする請求項６に記載の画像形成装置。
【請求項８】
前記現像装置ユニットは、前記現像ローラの軸線方向における前記現像装置ユニットの両端において前記感光体ユニットに対して回動可能に結合するサイド部材を有し、前記被押圧部を前記サイド部材に具備することを特徴とする請求項６に記載の画像形成装置。
【請求項９】
前記カートリッジは、感光体ドラムに形成された静電潜像を現像する現像ローラを有する現像カートリッジであることを特徴とする請求項１ないし５のいずれか１項に記載の画像形成装置。
【請求項１０】
前記現像カートリッジは、前記現像ローラの軸線方向における一端においてサイド部材を有し、前記被押圧部を前記サイド部材に具備することを特徴とする請求項９に記載の画像形成装置。
【請求項１１】
前記現像カートリッジは、前記現像ローラの軸線方向における両端においてサイド部材を有し、前記被押圧部を前記サイド部材に具備することを特徴とする請求項９に記載の画像形成装置。
【請求項１２】
前記カートリッジは、感光体ドラムに形成された静電潜像を現像する現像装置に供給するトナーを収容するトナーカートリッジであることを特徴とする請求項１ないし５のいずれか１項に記載の画像形成装置。
【請求項１３】
前記トナーカートリッジは、長手方向における一端においてサイド部材を有し、前記被押圧部を前記サイド部材に具備することを特徴とする請求項１２に記載の画像形成装置。
【請求項１４】
前記トナーカートリッジは、長手方向における両端においてサイド部材を有し、前記被押圧部を前記サイド部材に具備することを特徴とする請求項１２に記載の画像形成装置。
【請求項１５】
前記画像形成装置本体は前記カートリッジの装着方向を規制するガイドを有し、前記開閉部材は開いた状態において、前記支持面は前記カートリッジが前記ガイドに規制される直前に前記ガイドに規制されることを補助し、前記カートリッジは前記支持面と当接する被支持面を有することを特徴とする請求項１乃至１４の何れか一項に記載の画像形成装置。
【請求項１６】
前記押圧部が前記被押圧部を押圧する際に前記カートリッジと前記ガイドとの当接圧を低減させることを特徴とする請求項１５に記載の画像形成装置。
【請求項１７】
前記画像形成装置本体は初期に収容されるトナー容量が異なる２種類以上のカートリッジを選択的に装着可能であり、前記２種類以上のカートリッジはそれぞれ長手方向の一端または両端に異なるサイド部材を有し、前記開閉部材は前記異なるサイド部材がそれぞれ具備している被押圧部に対応する押圧部を備えていることを特徴とする請求項１乃至１６の何れか一項に記載の画像形成装置。
【請求項１８】
被押圧部を有するカートリッジが取り外し可能に装着される、記録媒体に画像形成する画像形成装置の画像形成装置本体であって、
カートリッジが出し入れされる開口部と、
前記開口部を閉じる閉鎖位置と開放する開放位置との間を移動可能な開閉部材と、
を有し、
前記開閉部材は、ガイドと、前記ガイドの途中に設けられた凹部と、前記ガイドの一部である押圧部と、を有するガイド部を備え、
前記開閉部材が前記開放位置に位置する際に、前記ガイドは前記カートリッジを前記開口部へガイド可能であって、 
前記開閉部材の閉動作時に、前記押圧部と前記カートリッジが有する被押圧部とが当接し、装着完了位置の方向へ前記カートリッジを押し、
前記開閉部材が前記閉鎖位置に位置する時には、前記凹部と前記被押圧部は隙間を持った状態とすることを特徴とする画像形成装置本体。
【請求項１９】
前記カートリッジが有する前記被押圧部は凸形状であることを特徴とする請求項１８に記載の画像形成装置本体。
【請求項２０】
前記カートリッジの装着方向を規制するガイドを有し、前記開閉部材は開いた状態において、前記ガイドは前記カートリッジが前記ガイドに規制される直前に前記ガイドに規制されることを補助し、前記カートリッジは支持面と当接する被支持面を有することを特徴とする請求項１９に記載の画像形成装置本体。
【請求項２１】
前記押圧部が前記被押圧部を押圧する際に前記カートリッジと前記ガイドとの当接圧を低減させることを特徴とする請求項２０に記載の画像形成装置本体。
【請求項２２】
初期に収容されるトナー容量が異なる２種類以上のカートリッジを選択的に装着可能であり、前記２種類以上のカートリッジはそれぞれ長手方向の一端または両端に異なるサイド部材を有し、前記開閉部材は前記異なるサイド部材がそれぞれ具備している被押圧部に対応する押圧部を備えていることを特徴とする請求項１８乃至２１の何れか一項に記載の画像形成装置本体。
【手続補正２】
【補正対象書類名】明細書
【補正対象項目名】発明の名称
【補正方法】変更
【補正の内容】
【発明の名称】画像形成装置及び画像形成装置本体
【手続補正３】
【補正対象書類名】明細書
【補正対象項目名】０００１
【補正方法】変更
【補正の内容】
【０００１】
本発明は、画像形成装置及び画像形成装置本体に関する。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】変更
【補正の内容】
【００２２】
上記目的を達成するための本発明に係る画像形成装置の代表的な構成は、カートリッジが出し入れされる開口部を有する画像形成装置本体と、前記開口部を閉じる閉鎖位置と開放する開放位置との間を移動可能な開閉部材と、被押圧部を有し、前記画像形成装置本体の装着完了位置に取り外し可能に装着されるカートリッジと、を備えた記録媒体に画像形成する画像形成装置であって、前記開閉部材は、支持面と、前記支持面の途中に設けられた凹部と、前記支持面の一部である押圧部と、を有するガイド部を備え、前記開閉部材が前記開放位置に位置する際に、前記支持面は前記カートリッジを前記開口部へガイド可能であって、前記開閉部材の閉動作時に、前記押圧部と前記被押圧部とが当接し、前記装着完了位置の方向へ前記カートリッジを押し、前記開閉部材が前記閉鎖位置に位置する時には、前記凹部と前記被押圧部は隙間を持った状態とすることを特徴とする。
【手続補正６】
【補正対象書類名】明細書
【補正対象項目名】００２３
【補正方法】変更
【補正の内容】
【００２３】
また、上記目的を達成するための本発明に係る画像形成装置本体の代表的な構成は、被押圧部を有するカートリッジが取り外し可能に装着される、記録媒体に画像形成する画像形成装置の画像形成装置本体であって、カートリッジが出し入れされる開口部と、前記開口部を閉じる閉鎖位置と開放する開放位置との間を移動可能な開閉部材と、を有し、前記開閉部材は、ガイドと、前記ガイドの途中に設けられた凹部と、前記ガイドの一部である押圧部と、を有するガイド部を備え、前記開閉部材が前記開放位置に位置する際に、前記ガイドは前記カートリッジを前記開口部へガイド可能であって、前記開閉部材の閉動作時に、前記押圧部と前記カートリッジが有する被押圧部とが当接し、装着完了位置の方向へ前記カートリッジを押し、前記開閉部材が前記閉鎖位置に位置する時には、前記凹部と前記被押圧部は隙間を持った状態とすることを特徴とする。
【手続補正７】
【補正対象書類名】明細書
【補正対象項目名】００７３
【補正方法】変更
【補正の内容】
【００７３】
そうすると、カートリッジＢの非駆動側の円筒部（被位置決め部）７１ｆ（図４（ａ））が、非駆動側の下ガイド１２ｂＬ（図４（ｂ））に沿って入っていく。円筒部７１ｆが、位置決め部１２ｃＬに突き当たると、カートリッジＢが装置本体Ａに装着完了となり、画像形成可能な正規位置Ｘ（図１、図２）に装着することができる。
【手続補正８】
【補正対象書類名】明細書
【補正対象項目名】００７９
【補正方法】変更
【補正の内容】
【００７９】
図４（ａ）に示すように、開閉部材１３の内側には、ユーザが装置本体Ａにカートリッジを装着する際にカートリッジＢを載せ置く支持部（ガイド部）１８Ｌ、１８Ｒを有している。この支持部１８Ｌ、１８Ｒは、カートリッジＢのボス７１ｄＲ、７１ｅＲを駆動側ガイドレール１２ａＲに、またボス７１ｄＬ、７１ｅＬを非駆動側ガイドレール１２ａＬに係合させることを補助する。ここで言う、係合を補助する動作とは、カートリッジＢが図８の状態から図９の状態に至る動作である。即ち、開閉部材１３開放位置に位置する際に、支持面（ガイド）１５Ｌ（１５Ｒ）、１７Ｌ（１７Ｒ）はカートリッジＢを開口部Ｕへガイド可能である。支持部（ガイド部）１８Ｌ、１８Ｒは複数設けられ、カートリッジＢの長手方向の両端部に当接するように配置されている。
【手続補正９】
【補正対象書類名】明細書
【補正対象項目名】００８５
【補正方法】変更
【補正の内容】
【００８５】
図１１に示すように、支持面１５Ｌ（１５Ｒ）、１７Ｌ（１７Ｒ）のうち、支持面１５Ｌ（１５Ｒ）は、押圧部（支持面の一部である押圧部）としての機能も兼ねている。この押圧部１５Ｌ（１５Ｒ）は、カートリッジＢが不十分装着状態にある時、開閉部材１３を矢印Ｋ方向に閉じる動作に伴って、画像形成可能な正規位置Ｘへ装着させるための押圧力Ｆ２を発生させる。動作の詳細は後述する。
【手続補正１０】
【補正対象書類名】明細書
【補正対象項目名】００８７
【補正方法】変更
【補正の内容】
【００８７】
図１は、十分な装着状態（図１４）の詳細拡大図である。図１に示すように、開閉部材１３の支持部１８Ｌ（１８Ｒ）には、被押圧部２６ｃＬ（２６ｃＲ）に対応した、深さＱの凹形状の収納部（凹部）１６Ｌ（１６Ｒ）を有している。収納部１６Ｌ（１６Ｒ）の断面外形形状は、被押圧部２６ｃＬ（２６ｃＲ）の断面外形形状より一回り大きく形成されている。よって、カートリッジＢの装置本体Ａへの装着完了時には、被押圧部２６ｃＬ（２６ｃＲ）は、収納部１６Ｌ（１６Ｒ）に隙間ａ、ｂ、ｃ、ｄ、ｅを持って収納される。隙間の詳細については後述する。
【手続補正１１】
【補正対象書類名】明細書
【補正対象項目名】０１００
【補正方法】変更
【補正の内容】
【０１００】
上記一連の動作により、図１３から図１４に至る間で、押圧力Ｆ２によるカートリッジＢの押し込みから、引き込みバネ１９による引き込みに、カートリッジＢへの装着力が変化する。これにより、カートリッジＢを画像形成可能な正規位置Ｘへと確実に位置決めすることができる。そして、図１４に示すように、十分な装着状態においては、第１サイド部材２６Ｌ（２６Ｒ）に設けられた被押圧部２６ｃＬ（２６ｃＲ）は、支持部１８Ｌ（１８Ｒ）に設けられた、凹形状の収納部１６Ｌ（１６Ｒ）に収納される。収納部１６Ｌ（１６Ｒ）は被押圧部２６ｃＬ（２６ｃＲ）と係合することにより回転規制を行う。